(57)【要約】【課題】  原稿と、記録紙とを同じ排紙先に排紙し、原稿と記録紙とを容易に組み合わせることができる。【解決手段】    原稿の画像を読取り、記録紙に読み取られた画像を印刷する印刷装置であって、前記原稿を前記記録紙の排紙部に排紙するか否かを設定する設定手段と、前記設定手段によって前記原稿を前記記録紙と同じ第１の排紙部に排紙するよう設定されている場合、前記原稿を前記記録紙の排紙部に排紙するよう制御し、前記設定手段によって前記原稿を前記記録紙と同じ排紙部に排紙するよう設定されていない場合、前記記録紙の排紙部とは異なる第２の排紙部に排紙するよう制御することを特徴とする。【選択図】  図１３
2015141310.tif 000002
【特許請求の範囲】
【請求項１】
原稿の画像を読取り、記録紙に読み取られた画像を印刷する印刷装置であって、
前記原稿を前記記録紙の排紙部に排紙するか否かを設定する設定手段と、
前記設定手段によって前記原稿を前記記録紙と同じ第１の排紙部に排紙するよう設定されている場合、前記原稿を前記記録紙の排紙部に排紙するよう制御し、前記設定手段によって前記原稿を前記記録紙と同じ排紙部に排紙するよう設定されていない場合、前記記録紙の排紙部とは異なる第２の排紙部に排紙するよう制御する制御手段と、
を有することを特徴とする印刷装置。
【請求項２】
前記原稿と前記記録紙を搬送する共通搬送路をさらに有し、
前記制御手段は、前記設定手段によって前記原稿を前記記録紙と同じ排紙部に排紙するよう設定されている場合、前記原稿を前記共通搬送路を通して前記第２の排紙部に排紙するよう制御することを特徴とする請求項１記載の印刷装置。
【請求項３】
前記制御手段は、複数の原稿の画像を読み取って、記録紙に読み取られた原稿の画像を印刷する場合に、前記原稿を、当該原稿の画像が印刷された印刷物に重ねて排紙するよう制御することを特徴とする請求項１または２に記載の印刷装置。
【請求項４】
前記原稿に画像を印刷する印刷手段をさらに有することを特徴とする請求項１乃至３のいずれか1項に記載の印刷装置。
【請求項５】
前記制御手段は、前記設定手段によって前記原稿を前記記録紙と同じ第１の排紙部に排紙するよう設定されている場合、印刷すべき部数の設定を変更するよう制御することを特徴とする請求項１乃至４のいずれか１項に記載の印刷装置。
【請求項６】
原稿の画像を読取り、記録紙に読み取られた画像を印刷する印刷装置の制御方法であって、
前記原稿を前記記録紙の排紙部に排紙するか否かを設定する設定工程と、
前記設定工程によって前記原稿を前記記録紙と同じ第１の排紙部に排紙するよう設定されている場合、前記原稿を前記記録紙の排紙部に排紙するよう制御し、前記設定工程によって前記原稿を前記記録紙と同じ排紙部に排紙するよう設定されていない場合、前記記録紙の排紙部とは異なる第２の排紙部に排紙するよう制御する制御工程と、
を有することを特徴とする印刷装置の制御方法。
【請求項７】
請求項６に記載の印刷装置の制御方法の各工程をコンピュータに実行させることを特徴とするプログラム。
【発明の詳細な説明】
【技術分野】
【０００１】
本発明は印刷装置、印刷装置の制御方法、及びプログラムに関するものである。
【背景技術】
【０００２】
従来、原稿を自動的に搬送し、搬送された原稿の画像を読み取る画像読取装置を備える印刷装置がある。この種の印刷装置で、原稿の搬送路と、印刷用紙の搬送路は別々に構成されている。
【０００３】
また、装置を小型化するために、原稿搬送路と印刷用紙の搬送路を共通にした印刷装置がある。（特許文献１参照）
【先行技術文献】
【特許文献】
【０００４】
【特許文献１】特開２０００−１８５８８１号公報
【発明の概要】
【発明が解決しようとする課題】
【０００５】
しかしながら、特許文献１に記載された印刷装置では、原稿の排紙先とシートの排紙先が別々であるため、原稿とシートをまとめた出力物を生成することができない。
特に、同じページごとに指定された部数分の印刷用紙を連続して排紙するグループソートを用いて、排紙された各ページの印刷用紙に原稿を合わせたい場合、ユーザは、印刷用紙の適切な箇所を探して原稿を挿入しなければならず、手間がかかる。
本発明は、上記の課題を解決するためになされたものである。本発明の目的は、原稿と、記録紙とを同じ排紙先に排紙し、原稿と記録紙とを容易に組み合わせる仕組みを提供することである。
【課題を解決するための手段】
【０００６】
上記目的を達成する本発明の印刷装置は以下に示す構成を備える。
原稿の画像を読取り、記録紙に読み取られた画像を印刷する印刷装置であって、前記原稿を前記記録紙の排紙部に排紙するか否かを設定する設定手段と、前記設定手段によって前記原稿を前記記録紙と同じ第１の排紙部に排紙するよう設定されている場合、前記原稿を前記記録紙の排紙部に排紙するよう制御し、前記設定手段によって前記原稿を前記記録紙と同じ排紙部に排紙するよう設定されていない場合、前記記録紙の排紙部とは異なる第２の排紙部に排紙するよう制御する制御手段と、を有することを特徴とする。
【発明の効果】
【０００７】
本発明によれば、原稿と、記録紙とを同じ排紙先に排紙し、原稿と記録紙とを容易に組み合わせることができる。
【図面の簡単な説明】
【０００８】
【図１】印刷装置の構成を説明する断面図である。
【図２】印刷装置の構成を説明する断面図である。
【図３】印刷装置の構成を説明する断面図である。
【図４】印刷装置の構成を説明する断面図である。
【図５】印刷装置の構成を説明する断面図である。
【図６】印刷装置の構成を説明する断面図である。
【図７】印刷装置の構成を説明する断面図である。
【図８】印刷装置の制御構成を説明するブロック図である。
【図９】表示部に表示するコピーのための設定画面の一例を示す図である。
【図１０】表示部に表示するコピーのための設定画面の一例を示す図である。
【図１１】表示部に表示するコピーのための設定画面の一例を示す図である。
【図１２】表示部に表示するコピーのための設定画面の一例を示す図である。
【図１３】印刷装置の制御方法を説明するフローチャートである。
【図１４】印刷装置の制御方法を説明するフローチャートである。
【発明を実施するための形態】
【０００９】
次に本発明を実施するための最良の形態について図面を参照して説明する。
＜システム構成の説明＞
〔第１実施形態〕
【００１０】
図１〜図７は、本実施形態を示す印刷装置の構成を説明する断面図である。本実施形態では、原稿シート（原稿ともいう。）を第１の搬送路を用いて搬送して排紙する第１排紙台１１０と、記録シート（記録紙ともいう。）を第２の搬送路を用いて搬送して排紙する第２排紙台７０とを備える印刷装置を例に説明する。また、本実施形態に示す印刷装置では、原稿シートを搬送する搬送路から搬送される原稿シートを経由して第２の搬送路に導くことが可能に構成されている。ここで、共通搬送路とは、搬送ローラ４２と搬送ローラ４０との間を結ぶ搬送路を意味する。
これらの図において、印刷装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面は、電荷による潜像画像を形成する。現像ローラ１１が回転しながら、感光ドラム１０表面の潜像画像に、保持しているトナーを供給すると、感光ドラム１０の表面には、トナー画像が形成される。
【００１１】
一方、第１給紙部３０に収納されたシートＳは、ピックアップローラ３１と分離手段３２により、一枚ずつ搬送ローラ４０に搬送される。搬送ローラ４０は、感光ドラム１０の表面のトナー画像とシートＳの先端位置のタイミングを合わせるように、シートＳを転写部１５へと搬送する。
【００１２】
感光ドラム１０の回転により転写部１５に搬送されるトナー画像は、転写部１５に付与される印加バイアスと圧力によって、シートＳに転写される。更に、転写部１５は、シートＳを定着部５０に搬送する。定着部５０では、回転可能な熱加圧ローラ５１からの熱と、熱加圧ローラ５１と対向し、回転可能な熱加圧ローラ５２の圧力が、トナー画像をシートＳに定着させる。トナー画像を定着されたシートＳは、排紙ローラ６０に搬送される。片面印刷の場合、排紙ローラ６０はシートＳをそのまま機外へ搬送し、シートＳは第２排紙台７０に積載される。このようにして印刷物が生成される。また、印刷装置１の構成物は図８にて説明をする制御部８００によって制御されている。
【００１３】
図２に示すように両面印刷プロセスでは、両面フラッパ６１はシートＳの後端が通過した後、搬送路を切り替える。その後、排紙ローラ６０は逆回転し、シートＳを搬送路８０へ搬送する。スイッチバックしたシートＳは、搬送ローラ４１を介して画像読み取り部１００に搬送される。その後、シートＳは、搬送ローラ４２及び４０に搬送され、再び転写部１５へ搬送され、トナー画像の転写、定着を経て、第２排紙台７０に積載されていく。
【００１４】
次に、原稿情報の読み取りと、シートへの両面印刷を実施するプロセスについて説明する。
図３に示すように原稿表面の読み取り開始時には、第２給紙部９０に収納された原稿Ｇは、ピックアップローラ９１と分離手段９２により、一枚ずつ搬送ローラ４１に搬送される。一方、画像読み取り部１００は、第２給紙部９０から給紙された原稿Ｇが原稿表面である第一面目の読み取り開始前までに白基準部材１０１への発光と、白基準値の修正を実施した後、搬送路８０に対面する位置に回転する。搬送ローラ４１は、原稿Ｇを、画像読み取り部１００に搬送する。既に画像読み取り部１００は搬送路８０に対面する位置に待機しており、画像読み取り部１００で読み取られた情報は、図８にて詳細を説明する画像メモリ８０４に原稿第一面目の情報として記憶される。尚、白基準部材１０１は、下向きに配置されており、ごみ付着に対する配慮がなされている事を追記しておく。
【００１５】
図４に示すように原稿表面である第一面目の読み取り終了時には、画像読み取り部１００を通過した原稿Ｇは、搬送ローラ４２に搬送される。搬送ローラ４２は、原稿Ｇの後端がスイッチバックフラッパ８２を通過した時点で停止する。よって、原稿Ｇは搬送ローラ４２に挟持された状態で停止している。所定時間の経過後、搬送路８１へ搬送されるように構成されている。
【００１６】
図５に示すように、原稿裏面である第二面目の読み取り開始時には、スイッチバックフラッパ８２が搬送路を、搬送路８０から搬送路８１に切り替えると同時に、画像読み取り部１００は、搬送路８１に対面する位置に回転する。搬送ローラ４２が逆回転すると、原稿Ｇは、搬送路８１に沿って、画像読み取り部１００に搬送される。原稿Ｇが画像読み取り部１００に搬送され通過することで、原稿裏面である第二面目の情報を読み取り、画像メモリ８０４に原稿第二面目の情報として記憶する。
第１給紙部３０から給紙されたシートＳは１枚ずつ搬送ローラ４０に搬送される。ほぼ同時に画像メモリ８０４に記憶された原稿裏面である第二面目の情報を基に発光部２１から先の画像情報に基づく感光ドラム１０への潜像画像が形成される。次にシートＳは転写部１５で潜像画像により形成されたトナー画像を転写されたのち、定着部５０等を搬送され、原稿第二面目の画像形成が完了する。なお、図５では原稿裏面である第二面の情報を読み取り開始とともにシートＳの給紙を開始しているが、第二面の情報を読み取ったのちシートＳを搬送しても良い。
【００１７】
図６に示すように原稿裏面の読み取り終了時には、画像読み取りを終了した原稿Ｇは、搬送ローラ４３及び４４に搬送され、第１排紙台１１０に積載される。スイッチバックフラッパ８２は、原稿Ｇの後端が通過すると、シートＳが搬送ローラ４０の方向に搬送されるよう、搬送路を搬送路８１から搬送路８０へ切り替える。原稿第二面目の画像形成が完了したシートＳは、排紙ローラ６０の逆回転によって、シートＳを両面フラッパ６１によって切り替えられた搬送路８０に向けて搬送する。
【００１８】
図７に示すように、シートＳへの画像形成の完了時には、搬送路８０に搬送されたシートＳは、反転している画像読み取り部１００を通過し、搬送ローラ４２を介して、搬送ローラ４０に搬送される。更に、シートＳは搬送され、破線で記載されているシートＳのように再び転写部１５へ搬送される。シートＳは、画像メモリ８０４に記憶された原稿第一面目の画像情報に基づき、光学ユニット２と感光ドラム１０と現像ローラ１１と転写部１５と定着部５０によってトナー画像の転写及び定着を経て、第２排紙台７０に積載されていく。
【００１９】
以上は、原稿シートと記録シートとを別々の排紙させる場合について説明した。以下、本実施形態に示す原稿シートと記録シートとを同一排紙先に排紙させる制御について詳述する。
〔原稿と記録シートとを同一排紙先に排紙させる制御〕
本実施形態では、原稿Ｇを、共通搬送路を介して搬送し、搬送ローラ４０によって転写部１５へ搬送する制御を行う。この時、原稿Ｇには、前述の画像形成手段によってトナー画像の転写及び定着をしないようにすることもできる。以下、原稿Ｇの画像読み取りと、記録シートへの印刷を実施するプロセスについて説明する。
【００２０】
原稿読み取りプロセスについては、前述の図３から図４を使った説明と同様である。原稿Ｇは搬送ローラ４２及び４０に搬送され、転写部１５へ搬送される。原稿Ｇに画像を付加する場合は、画像メモリ８０４に記憶された画像情報を基に発光部２１から先の画像情報に基づく感光ドラム１０への潜像画像が形成される。次に、原稿は転写部１５で潜像画像により形成されたトナー画像を転写されたのち、定着部５０等を搬送され、第２排紙台７０に積載されていく。
これ対して、原稿Ｇに画像を付加しない場合は、前述の画像形成手段によるトナー画像の転写及び定着を行われず、原稿は排紙ローラ６０により第２排紙台７０に積載されていく。
そして、原稿Ｇの後端が搬送ローラ４０を通過すると、第１給紙部３０から給紙されたシートは１枚ずつ搬送ローラ４０に搬送される。ほぼ同時に画像メモリ８０４に記憶された原稿表面である第一面目の情報を基に発光部２１から先の画像情報に基づく感光ドラム１０への潜像画像が形成される。
次にシートは転写部１５で潜像画像により形成されたトナー画像を転写されたのち、定着部５０等を搬送され、第２排紙台７０に積載されていく。なお、原稿Ｇに付加した画像をシートにも付加する場合は、画像メモリ８０４に記憶された原稿表面である第一面目の情報と原稿Ｇに付加した画像情報とを重ねた画像情報を元に画像形成させる。
【００２１】
図８は、図１等に示した印刷装置１の制御構成を説明するブロック図である。
本例では、制御ＣＰＵ（Ｃｅｎｔｒａｌ Ｐｒｏｃｅｓｓｉｎｇ Ｕｎｉｔ）８０１を中心とした制御部８００の一例を示す。以下、図８を参照して、本発明の印刷装置１の実施例１の画像形成動作における制御ＣＰＵ８０１およびＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）８０２の動作について説明する。
図８において、制御ＣＰＵ８０１は、ポリゴンミラー、モータ及びレーザ発光素子などを含む発光部２１に、ＡＳＩＣ８０２を介して接続されている。そして、制御ＣＰＵ８０１は感光ドラム１０面上にレーザ光を走査することにより所望の潜像を描くため、ＡＳＩＣ８０２に対して制御信号を出力することによって光学ユニット２の制御を行う。同様に、制御ＣＰＵ８０１は、シートＳを搬送するためにピックアップローラ３１及び搬送ローラ４０、感光ドラム１０、転写部１５、熱加圧ローラ５１、熱加圧ローラ５２を駆動するためのメインモータ８３０を制御する。また、制御ＣＰＵ８０１は、シートＳを給紙する給紙ローラの駆動開始時にオンしてピックアップローラ３１を駆動させるためのシート給紙ソレノイド８２２を制御する。さらに、制御ＣＰＵ８０１は、ピックアップローラ９１と搬送ローラ４１〜４４を駆動するための駆動モータ８４０などの駆動系を制御する。
【００２２】
さらに制御ＣＰＵ８０１は、電子写真プロセスに必要な１次帯電、現像、１次転写、２次転写バイアスを制御する高電圧電源８１０、並びに定着部５０及び低電圧電源８１１を制御する。さらに、制御ＣＰＵ８０１は、定着部５０に設けられたサーミスタ（図示せず）により温度をモニタし、定着温度を一定に保つ制御を行う。
【００２３】
また、制御ＣＰＵ８０１は、バス等（図示せず）を介してプログラムメモリ８０３に接続されている。プログラムメモリ８０３には、以上の制御及び本明細書に記載される各実施形態において制御ＣＰＵ８０１が行う処理のすべて又は一部を実行するためのプログラム及びデータが格納される。すなわち、制御ＣＰＵ８０１は、プログラムメモリ８０３に格納されたプログラム及びデータを用いて本発明の各実施形態の動作を実行する。
【００２４】
ＡＳＩＣ８０２は、制御ＣＰＵ８０１の指示に基づいて発光部２１内部のモータ速度制御、メインモータ８３０および駆動モータ８４０の速度制御を行う。モータの速度制御は、モータ（図示せず）からのタック信号（モータが回転されるごとにモータから出力されるパルス信号）を検出して、タック信号の間隔が所定の時間となるようモータに対し加速又は減速信号を出力して行う。このように、制御回路はＡＳＩＣ８０２のハードウエアによる回路で構成したほうが、制御ＣＰＵ８０１の制御負荷の低減が図れるメリットがある。
【００２５】
制御ＣＰＵ８０１は、ホストコンピュータ（図示せず）または操作部８７０から指示されたプリントコマンドを受信すると、メインモータ８３０、駆動モータ８４０、シート給紙ソレノイド８２２を駆動してシートＳを搬送する。
【００２６】
シートＳは、転写部１５により感光ドラム１０表面に形成されたトナー像が転写された後、定着部５０によりトナー像が定着されてから、排紙ローラ６０により第２排紙台７０へ排出される。画像形成済みシートの整列性を高めるため、第２排紙台７０は排紙口付近からシート排出方向に向けてゆるやかな上り勾配が設けられている。ここで制御ＣＰＵ８０１は、定着部５０に対して低電圧電源８１１を介して所定の電力を供給することよって所望の熱量を発生させてシートＳに与え、シート上のトナー画像を融着し定着させる。
【００２７】
次に本実施例における原稿読取動作について説明する。
制御ＣＰＵ８０１は、ホストコンピュータ（図示せず）または操作部８７０から指示されたスキャンコマンドを受信すると、両面フラッパソレノイド８２０、駆動モータ８４０を駆動し、原稿給紙ソレノイド８２３を操作する。これにより、制御ＣＰＵ８０１は、駆動モータ８４０のトルクをピックアップローラ９１に伝達させ、原稿Ｇを搬送する。また画像読み取り部１００は、ＡＳＩＣ８０２に接続されている。制御ＣＰＵ８０１は、ＡＳＩＣ８０２を介して各種制御により画像読み取り部１００から読み取った画像をＡＳＩＣ８０２に接続されている画像メモリ８０４に保存する。
その後、制御ＣＰＵ８０１は、スイッチバックソレノイド８２１を操作して、スイッチバックフラッパ８２を搬送路８１側に倒し、駆動モータ８４０を反転し、原稿Ｇを第１排紙台１１０まで搬送をする。なお、制御ＣＰＵ８０１は、前述のようなスイッチバックソレノイド８２１の操作を行わず、駆動モータ８４０を介して搬送ローラ４０を駆動し、原稿Ｇを転写部１５に向けて搬送してもよい。また、制御ＣＰＵ８０１は、操作部８７０から送信されるコピーコマンドを受信すると、前述の原稿読取動作と印刷動作を組み合わせて制御する。
【００２８】
制御ＣＰＵ８０１は、コピーのための設定画面を表示部８６０に表示させる。なお、表示部８６０はＬＥＤ（Ｌｉｇｈｔ Ｅｍｉｔｔｉｎｇ Ｄｉｏｄｅ）や液晶ディスプレイを備え、オペレータの操作内容や装置の内部状態を表示する。操作部８７０はオペレータから操作を受け付ける。操作部８７０は、複数の操作ボタンを備えるだけでなく、表示部８６０とともにタッチディスプレイとして実現される場合もある。
【００２９】
図９〜図１２は、図８に示した表示部８６０に表示するコピーのための設定画面の一例を示す図である。図９はユーザがコピーの設定を行うためのトップ画面の一例であり、仕上げボタン１１００、両面ボタン１２００、ＯＨＰ中差しボタン１３００、出力部数の表示領域１４００を備える。
操作部８７０は、ユーザ操作を受け付け、その操作内容に応じて表示部８６０では当該画面の表示内容の一部を変更する、または、他の異なる画面を表示するように制御する。図９はユーザ操作により出力部数が１２部に設定されたことが反映された画面例である。また、両面ボタン１２００が押下されると、制御ＣＰＵ８０１は原稿の両面読取設定、および、両面印刷設定を受け付けるための画面を表示させる。また、制御ＣＰＵ８０１は、仕上げボタン１１００が押下されると図１０の画面を表示し、ＯＨＰ中差しボタン１３００が押下されると、図１２の画面を表示させる。
【００３０】
図１０は、仕上げの種類を設定するための仕上げ設定画面の一例である。仕上げ設定画面には、ソートボタン１１１０とグループボタン１１２０が表示される。ソートボタン１１０は、ソート機能を有効にするためのボタンである。ソート機能は、複数のページをページ順に印刷する動作を、指定された部数分繰り返す機能である。一方、グループボタン１１２０は、グループ機能をオンに設定するためのボタンである。グループ機能がオンにされると、１つのページを指定された部数分連続して印刷した後、次のページを指定された部数分連続して印刷する動作がページ数分繰り返される。ソート機能とグループ機能は互いに排他関係にあるため、制御ＣＰＵ８０１は両方の機能が同時に有効に設定されないよう制御する。さらに、原稿をシートとまとめて同じ排紙部に排紙するか否を設定するための原稿差込ボタン１１３０も備える。
なお、原稿差込ボタン１１３０の押下により、原稿をシートとまとめて同じ排紙部に排紙するよう設定された場合に、図１１で示す警告画面１１３１を表示してユーザにその旨を通知するようにしてもよい。
警告画面１１３１は、表示領域１４００に示される出力部数が２以上である時に表示され、事前に設定された出力部数から１部引くようにするボタン１１３２と事前に設定された出力部数のままにするボタン１１３３から構成される。ボタン１１３２が押下された場合、制御ＣＰＵ８０１は表示領域１４００に示される出力部数から１部引いた値に表示変更するよう制御する。
【００３１】
図１２は、ＯＨＰ中差しを設定するためのＯＨＰ中差し設定画面の一例である。
ＯＨＰ中差し設定画面では、中差し用紙にも読み取り原稿画像をプリントするよう設定するボタン１３０１、中差し用紙として原稿をそのまま差し込んで使うボタン１３０２、中差し用紙に読み取り原稿画像をプリントしないボタン１３０３を備える。ボタン１３０２の押下により、原稿をそのまま差し込んで使うよう設定された場合、制御ＣＰＵ８０１は原稿差込ボタン１１３０による設定が無効になるよう制御する。
【００３２】
図１３は、本実施形態を示す印刷装置の制御方法を説明するフローチャートである。本例は、操作部８７０から送信されるコピーコマンドを受信した時に行う原稿読み取りプロセス例である。なお、各ステップに対応する制御プログラムは、プログラムメモリ８０３に格納され、制御ＣＰＵ８０１が本制御プログラムの処理を実行することで実現される。なお、シートＳの排紙先が任意に切り替え可能である場合には、Ｓ１２０１の前にシートの排紙先を決定するステップが必要である。
【００３３】
原稿読み取りプロセスを開始すると、原稿差込ボタン１１３０及びボタン１３０２での設定内容から、原稿ＧをシートＳとまとめて同じ排紙部に排紙するよう設定されているか否かを確認する（Ｓ１２０１）。原稿差込ボタン１１３０またはボタン１３０２による設定が有効化されている場合は、原稿Ｇの排紙先を第２排紙台７０と決定する（Ｓ１２０３）。これにより原稿ＧとシートＳの排紙先とを一致させる。対して、原稿差込ボタン１１３０及びボタン１３０２がいずれも有効化されていない場合は、原稿Ｇの排紙先を第１排紙台１１０と決定する（Ｓ１２０２）。これにより原稿ＧとシートＳとを別に排紙先に分ける。その後、Ｓ１２０４で、制御ＣＰＵ８０１は前述した原稿読み取りプロセスの制御を行い、原稿ＧがＳ１２０２またはＳ１２０３にて決定した排紙先に排紙されるよう原稿Ｇの搬送制御を行って、本処理を終了する。
【００３４】
図１４は、本実施形態を示す印刷装置の制御方法を説明するフローチャートである。本例は、シートＳの排紙先が第２排紙台７０で固定されている場合の処理例である。なお、各ステップに対応する制御プログラムは、プログラムメモリ８０３に格納され、制御ＣＰＵ８０１が本制御プログラムの処理を実行することで実現される。以下、画像形成手段による画像形成条件を変更して原稿の搬送を制御して排紙する排紙制御例を説明する。
【００３５】
まず、制御ＣＰＵ８０１は、Ｓ１２０２またはＳ１２０３で決定した排紙先に向かって、原稿Ｇを搬送制御する場合に、原稿Ｇが転写部１５及び定着部５０が搬送路を通過するか判断する（Ｓ１３０１）。この時、Ｓ１２０２及びＳ１２０３にて決定した原稿Ｇの排紙先が第２排紙台７０であると制御ＣＰＵ８０１が判断した場合は、転写部１５及び定着部５０のある搬送路を通過すると判断する。
一方、原稿Ｇの排紙先が第１排紙台１１０であると制御ＣＰＵ８０１が判断した場合は、転写部１５及び定着部５０のある搬送路を通過しないと判断する。原稿Ｇが転写部１５及び定着部５０のある搬送路を通過しない場合、原稿Ｇに対する転写部１５及び定着部５０の駆動制御は必要ない。
そこで、原稿Ｇが転写部１５及び定着部５０のある搬送路を通過する場合は、制御ＣＰＵ８０１は、原稿Ｇへの印刷が必要であるか判断する（Ｓ１３０２）。ここで、操作部８７０を介して、読み取った原稿画像にさらに別の付加画像を重ねる設定がされ、かつ、原稿Ｇに対しても当該付加画像を印刷するよう設定されていると制御ＣＰＵ８０１が判断した場合は、原稿Ｇへの印刷が必要となる。
この時、制御ＣＰＵ８０１は、原稿Ｇの転写部１５への搬送に合わせて転写部１５を駆動し、原稿Ｇに前述の付加画像を転写する。さらに、原稿Ｇの定着部５０への搬送に合わせて定着部５０を駆動することで画像形成を行い（Ｓ１３０５）、本処理を終了する。
これに対して、原稿Ｇに印刷を行わないと制御ＣＰＵ８０１が判断した場合は、原稿Ｇの搬送に合わせて転写部１５及び定着部５０の駆動を行わない（Ｓ１３０３、Ｓ１３０４）。それによって、原稿Ｇに対して画像形成することなく、第２排紙台７０に排紙して、本処理を終了する。
【００３６】
なお、原稿Ｇに対して画像形成しない場合、制御ＣＰＵ８０１はメインモータ８３０を駆動することで、熱加圧ローラ５１および５２を離間する制御を実行したり、あるいは熱加圧ローラ５１と５２との圧力を低下させたりするように制御してもよい。
また、原稿Ｇに対して画像形成しない場合、制御ＣＰＵ８０１は低電圧電源８１１を介して供給する電力をカットまたは低下することより、定着部５０の定着温度を低下させる制御を実行してもよい。
【００３７】
さらに、熱加圧ローラ５１と５２との圧力を低下させる、または、定着部５０の定着温度を低下させる場合、制御ＣＰＵ８０１は圧力の低下量および定着温度の低下量を原稿Ｇの読み取り画像の特徴によって決定してもよい。また、原稿Ｇが転写部１５及び定着部５０のある搬送路の搬送回数によって、圧力の低下量および定着温度の低下量を決定してもよい。
【００３８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４０】
８０１  ＣＰＵ
【図１】
2015141310.tif 000003
【図２】
2015141310.tif 000004
【図３】
2015141310.tif 000005
【図４】
2015141310.tif 000006
【図５】
2015141310.tif 000007
【図６】
2015141310.tif 000008
【図７】
2015141310.tif 000009
【図８】
2015141310.tif 000010
【図９】
2015141310.tif 000011
【図１０】
2015141310.tif 000012
【図１１】
2015141310.tif 000013
【図１２】
2015141310.tif 000014
【図１３】
2015141310.tif 000015
【図１４】
2015141310.tif 000016